(57)【特許請求の範囲】
【請求項１】
本体内に浴室の空気を循環する循環送風部と、空気を加熱するための加熱部と、ミストを発生するノズル部と、前記ノズル部への給水を加熱するための熱交換器と、前記ノズル部に前記熱交換器で熱交換された温水または熱交換されない冷水を導く配管と、前記循環送風部および前記加熱部を制御する制御部とを備え、前記加熱部の温度が高いときかつ使用者が涼感を得ようとしたとき、前記循環送風部を停止して、前記冷水を前記配管に導き前記ノズルから噴出させることを特徴とするサウナ装置。
【請求項２】
給水を加熱する熱源を備え、この熱源と熱交換器を循環する配管に切替え弁を設けたことを特徴とする請求項１に記載のサウナ装置。
【請求項３】
循環送風部を、ＤＣモータとファンとで構成することを特徴とする請求項１または２に記載のサウナ装置。
【発明の詳細な説明】
【技術分野】
【０００１】
本発明は、サウナ装置、サウナシステムおよびその運転方法に係り、特に冷水ミストを供給可能なサウナ装置、サウナシステムおよびその運転方法に関する。
【背景技術】
【０００２】
従来、この種のサウナ装置として、浴室を利用するミスト機能付きサウナ装置が知られている（例えば、特許文献１参照）。
【０００３】
以下、そのサウナ装置について図６を参照しながら説明する。
【０００４】
図に示すようにミスト発生装置１０８は、給水ライン１０１と、熱媒回路１０２と、給水ラインの給水と熱媒回路の熱媒とを熱交換する熱交換器１０３と、給水ラインの端末部にミストノズル１０４と、給水ラインにおける熱交換器１０３の下流側、かつ、ミストノズル１０４の上流側に、熱交換器１０３通過後の水を排水する排水ライン１０５と、給水ライン１０１における熱交換器１０３の上流側とミストノズル１０４を結び、給水を直接ミストノズル１０４に導くためのバイパス回路１０６とを備えており、さらに、浴室暖房乾燥機１０７を浴室に備え、ミスト発生装置１０８と、浴室の高所に備えられた換気送風部と１０９、浴室暖房乾燥機１０７の循環送風部１１０とを連動可能な構成であるサウナ装置である。
【先行技術文献】
【特許文献】
【０００５】
【特許文献１】特開２００５−２０４７１２号公報
【発明の概要】
【発明が解決しようとする課題】
【０００６】
このような従来のサウナ装置では、使用者が涼感を得ようした場合、冷水ミストを噴霧し、循環ファンを作動させ送風する手段がとられていたが、冷水の給水のために複数の水回路が必要であり、また空気を加熱する加熱部の温度が高い状態では温風が送風され、使用者が満足できる涼感を得ることができていなかったという課題がある。
【０００７】
本発明は、このような従来の課題を解決するものであり、空気を加熱する加熱部の温度が高い状態であっても、使用者が満足できる涼感を得ることができるサウナ装置を提供することを目的とする。
【課題を解決するための手段】
【０００８】
そして、この目的を達成するために、本発明は、本体内に浴室の空気を循環する循環送風部と、空気を加熱するための加熱部と、ミストを発生するノズル部と、前記ノズル部への給水を加熱するための熱交換器と、前記ノズル部に前記熱交換器で熱交換された温水または熱交換されない冷水を導く配管と、前記循環送風部および前記加熱部を制御する制御部とを備え、前記加熱部の温度が高いときかつ使用者が涼感を得ようとしたとき、前記循環送風部を停止して、前記冷水を前記配管に導き前記ノズル部から噴出させるものであり、これにより所期の目的を達成するものである。
【発明の効果】
【０００９】
本発明によれば、本体内に浴室の空気を循環する循環送風部と、空気を加熱するための加熱部と、ミストを発生するノズル部と、前記ノズル部への給水を加熱するための熱交換器と、前記ノズル部に前記熱交換器で熱交換された温水または熱交換されない冷水を導く配管と、前記循環送風部および前記加熱部を制御する制御部とを備え、前記加熱部の温度が高いときかつ使用者が涼感を得ようとしたとき、前記循環送風部を停止して、前記冷水を前記配管に導き前記ノズル部から噴出させるという構成にしたことにより、空気を加熱する加熱部の温度が高い状態であっても、使用者が満足できる涼感を得ることができるという効果を得ることができる。
【図面の簡単な説明】
【００１０】
【図１】本発明の実施の形態１のサウナ装置の内部構成を示す側面構成図
【図２】同サウナ装置の内部構成を示す正面構成図
【図３】同サウナ装置を浴室に設置した状態を示す斜視図
【図４】同サウナ装置の温水ミスト発生時の給水手段の構成を示す側面構成図
【図５】同サウナ装置の冷水ミスト発生時の給水手段の構成を示す側面構成図
【図６】従来のサウナ装置を示す側面構成図
【発明を実施するための形態】
【００１１】
本発明の請求項１記載のサウナ装置は、本体内に浴室の空気を循環する循環送風部と、空気を加熱するための加熱部と、ミストを発生するノズル部と、前記ノズル部への給水を加熱するための熱交換器と、前記ノズル部に前記熱交換器で熱交換された温水または熱交換されない冷水を導く配管と、前記循環送風部および前記加熱部を制御する制御部とを備え、前記加熱部の温度が高いときかつ使用者が涼感を得ようとしたとき、前記循環送風部を停止して、前記冷水を前記配管に導き前記ノズル部から噴出させるという構成を有する。
【００１２】
これにより、空気を加熱する加熱部の温度が高いとき、循環送風を停止し、ノズル部に冷水を導き、冷水ミストを発生させることとなるので、空気を加熱する加熱部の温度が高い状態であっても、使用者が満足できる涼感を得ることができるという効果を奏する。
【００１３】
また、給水を加熱する熱源を備え、この熱源と熱交換器を循環する配管に切替え弁を設けた構成にしてもよい。これにより、ノズル部に導く給水が、常に熱交換器の中を通る構成においても、切替え弁により熱媒が熱交換器内を循環しないようにできるため熱交換器に送られた給水は加熱されず、空気を加熱する加熱部の温度が高い状態であっても、使用者が満足できる涼感を得ることができるという効果を奏する。
【００１４】
また、循環送風部を、ＤＣモータとファンとで構成するという構成にしてもよい。これにより、循環送風部のファンの回転数をＤＣモータにより作動させることとなるので、循環送風部の制御が容易に行うことができるという効果を奏する。
【００１５】
以下、本発明の実施の形態について、図面を参照しながら説明する。
【００１６】
（実施の形態１）
図１〜図３に示すように、サウナ装置の本体１７は、浴室９の空気１０を循環する循環送風部１と、空気１０を加熱するための加熱部２と、ミストを発生するノズル部３と、前記ノズル部３への給水を加熱するための熱交換器４としての液−液熱交換器と、前記ノズル部３に温水または冷水を供給する配管５と、前記循環送風部１および前記加熱部２を制御する制御部６とを内部に備えている。
【００１７】
熱交換器４の加熱源として図３に示す給湯器１１が浴室９の外壁面に設置されており、給湯器１１で生成した温水である熱媒１２は熱交換器４と給湯器１１間を循環している。
【００１８】
また図４に示すように、熱交換器４から給湯器１１へ熱媒１２が戻る配管に、熱媒１２を熱交換器４へと導くかどうかを切替える切替え弁１４が設けられている。
【００１９】
上記構成において、サウナ運転の動作を説明する。
【００２０】
図４に示すように通常のサウナ運転では、前記熱交換器４への給水１３は、前記熱交換器４へ供給される熱媒１２としての給湯器１１から送られる温水と、熱交換器４内で熱交換することにより、温水１５となり、ノズル部３から温水ミストとして浴室９へ噴出される。
【００２１】
サウナ運転終了時、空気１０を加熱する加熱部２の温度が高く、かつ使用者が涼感を得ようとしたとき、図５に示すように、循環送風部１を停止し、切替え弁１４により給湯器１１と熱交換器４間の熱媒１２の循環を止め、給水１３と熱媒１２の熱交換を行わないようにし、給水１３を冷水１６のまま配管５からノズル部３に導き、ノズル部３から冷水ミストを発生させる。
【００２２】
よって、空気を加熱する加熱部の温度が高い状態であっても、循環送風部１の停止により温風の浴室９への供給がなくなるとともに、通常の温水ミストではなくほぼ給水温度に近い冷水ミストを浴びることになり、使用者が満足できる涼感を得ることができることとなる。
【００２３】
また、図２に示すように、循環送風部１を、ＤＣモータ７と２台のファン８、例えばシロッコファンとで構成する。
【００２４】
上記構成により、循環送風部１のファンの回転数を制御部６を介してＤＣモータ７により作動させる。
【００２５】
よって、循環送風部１の制御が容易に行えることができることとなる。
【００２６】
以上のように、本体１７内に浴室９の空気１０を循環する循環送風部１と、浴室９の空気１０を加熱するための加熱部２と、ミストを発生するノズル部３と、前記ノズル部３への給水１３を加熱するための熱交換器４と、前記ノズル部３に前記熱交換器４で熱交換された温水１５または熱交換されない冷水１６を導く配管５と、前記循環送風部１および前記加熱部２を制御する制御部６とを備え、前記加熱部２の温度が高いときかつ使用者が涼感を得ようとしたとき、制御部６により前記循環送風部１を停止して、切替え弁１４により給湯器１１と熱交換器４間の熱媒１２の循環を止め、給水１３と熱媒１２の熱交換を行わないようにし、給水１３を冷水１６のまま配管５からノズル部３に導き、ノズル部３から冷水ミストを発生させるという構成にしたことにより、空気を加熱する加熱部の温度が高い状態であっても、使用者が満足できる涼感を得ることができるという効果を得ることができる。
【産業上の利用可能性】
【００２７】
本発明にかかるサウナ装置は、使用者が涼感を得ようとしたとき、循環送風部を停止し、冷水ミストを噴霧することで、空気の加熱部の温度が高い状態であっても、使用者が満足できる涼感を得ることを可能とするものであるので、家庭用に使用されるサウナ装置等として有用である。
【符号の説明】
【００２８】
１    循環送風部
２    加熱部
３    ノズル部
４    熱交換器
５    配管
６    制御部
７    ＤＣモータ
８    ファン
９    浴室
１０  空気
１１  給湯器
１２  熱媒
１３  給水
１４  切替え弁
１５  温水
１６  冷水
１７  本体
【図１】
0005494111.tif 000002
【図２】
0005494111.tif 000003
【図３】
0005494111.tif 000004
【図４】
0005494111.tif 000005
【図５】
0005494111.tif 000006
【図６】
0005494111.tif 000007